(57)【要約】【課題】個人が所有するモバイル機器を用いてネットワーク接続された複数の車載機器にアクセスできる車載情報システムを提供する。【解決手段】車内ＬＡＮ７に接続された複数の車載機器１、２、３、４、５と、車内ＬＡＮに接続されて外部と通信する外部通信ユニット６と、外部通信ユニットに通信で接続することにより複数の車載機器にアクセスする複数のモバイル機器８を備えている。【選択図】図１
2011143732.tif 000002
【特許請求の範囲】
【請求項１】
車内ＬＡＮに接続された複数の車載機器と、
前記車内ＬＡＮに接続されて外部と通信する外部通信ユニットと、
前記外部通信ユニットに通信で接続することにより前記複数の車載機器にアクセスする複数のモバイル機器
とを備えた車載情報システム。
【請求項２】
複数の車載機器は、ナビゲーション装置を含み、
外部通信ユニットは、前記ナビゲーション装置から受信したモニタに表示される映像を表す映像信号を送信し、
複数のモバイル機器の各々は、前記外部通信ユニットから送信される映像信号を受信し、該映像信号に基づき映像を表示する
ことを特徴とする請求項１記載の車載情報システム。
【請求項３】
外部通信ユニットは、ナビゲーション装置から受信したモニタに表示される画像を簡略化した簡易画像を表す映像信号を送信し、
複数のモバイル機器の各々は、前記外部通信ユニットから送信される映像信号を受信し、該映像信号に基づき簡易画像を表示する
ことを特徴とする請求項２記載の車載情報システム。
【請求項４】
複数の車載機器は、ＡＶ（Audio Visual）機器を含み、
外部通信ユニットは、前記ＡＶ機器で再生された画像を表す映像信号および音声を表す音声信号を送信し、
複数のモバイル機器の各々は、前記ＡＶ機器から送信される映像信号に基づく映像を表示するとともに、音声信号に基づく音声を出力する
ことを特徴とする請求項２記載の車載情報システム。
【請求項５】
複数のモバイル機器の各々は、車内ＬＡＮに接続された複数の車載機器を制御するための制御信号を外部通信ユニットに送信し、
前記外部通信ユニットは、前記複数のモバイル機器の各々から受信した制御信号に応じて、前記車内ＬＡＮに接続された複数の車載機器の中の１つを制御する
ことを特徴とする請求項１記載の車載情報システム。
【請求項６】
複数のモバイル機器の各々は固有番号を有し、
外部通信ユニットは、前記固有番号に応じて制御範囲を決定する
ことを特徴とする請求項１から請求項５のうちのいずれか１項記載の車載情報システム。
【請求項７】
外部通信ユニットと複数のモバイル機器との間の通信は、有線通信、赤外線通信または微弱電波による通信によって行われる
ことを特徴とする請求項１から請求項６のうちのいずれか１項記載の車載情報システム。
【発明の詳細な説明】
【技術分野】
【０００１】
この発明は、車両に適用される車載情報システムに関し、特に車載情報システムの利便性を向上させる技術に関する。
【背景技術】
【０００２】
近年、車載情報システムの１つとして、車内ＬＡＮ（Local Area Network）に、例えばナビゲーション装置、モニタ、ＡＶ（Audio Visual）機器といった複数の車載機器を接続し、これら複数の車載機器が相互に通信しながらナビゲーション、または、映画または音楽の鑑賞などを可能にした車載情報システムが開発されている。
【０００３】
しかしながら、現状では、複数のモニタが接続された車載情報システムは少ない。特に、定員が７〜８名といった多人数が乗車可能な乗用車では、座席が例えば３列に配置されており、最後部の座席から前方に取り付けられているモニタを見たり、操作することは困難である。その一方、通常は車両を１人または２名程度の乗車人数で使用し、後部座席にほとんど人が乗ることのない車両にとっては、使用頻度の低い後部座席にまでモニタを取り付けるのは不経済である。
【０００４】
そこで、外部の機器を利用して車載情報システムの利便性を高める技術が開発されている。例えば、特許文献１は、乗車前に車外のモバイル機器から車載のナビゲーション装置に対して目的地または経由地などを設定できる車載情報システムを開示している。
【０００５】
【特許文献１】特開２００３−３２９４７４号公報
【発明の開示】
【発明が解決しようとする課題】
【０００６】
上述した特許文献１に開示された技術では、車載のナビゲーション装置に対して単一の利用者からの通信を前提としており、乗車中の複数の利用者からの通信を想定していない。したがって、乗車中の複数の利用者が通信により車載情報システムにアクセスできる技術の開発が望まれている。
【０００７】
この発明は、上述した要請に応えるためになされたものであり、その課題は、個人が所有するモバイル機器を用いてネットワーク接続された複数の車載機器にアクセスできる車載情報システムを提供することにある。
【課題を解決するための手段】
【０００８】
上記課題を解決するために、この発明に係る車載情報システムは、車内ＬＡＮに接続された複数の車載機器と、車内ＬＡＮに接続されて外部と通信する外部通信ユニットと、外部通信ユニットに通信で接続することにより複数の車載機器にアクセスする複数のモバイル機器とを備えている。
【発明の効果】
【０００９】
この発明に係る車載情報システムによれば、外部から持ち込んだモバイル機器を外部通信ユニットに通信で接続することにより、車内ＬＡＮに接続されている複数の車載機器にアクセスし、これらの車載機器に表示される情報を入手したり、また、これらの車載機器を操作することができる。
【発明を実施するための最良の形態】
【００１０】
以下、この発明の実施の形態を、図面を参照しながら詳細に説明する。
実施の形態１．
図１は、この発明の実施の形態１に係る車載情報システムの構成を示すブロック図である。この車載情報システムは、ナビゲーション装置１、表示制御装置２、アンプ３、ＡＶ機器４、車載カメラ５および外部通信ユニット６といった車載機器が車内ＬＡＮ７に接続されて構成されている。なお、図１に示す車載情報システムは、リング型ＬＡＮを用いた場合を示しているが、図２に示すようなバス型ＬＡＮを用いることもできる。なお、ＬＡＮとしては、ケーブルを用いた有線ＬＡＮまたは無線ＬＡＮを使用することができる。また、複数の車載機器の間は、Bluetoothを用いて接続するように構成することもできる。
【００１１】
ナビゲーション装置１は、経路探索または経路案内といったナビゲーション機能を実現するための処理を実行する。このナビゲーション装置１による処理結果は、車内ＬＡＮ７を介して表示制御装置２、アンプ３および外部通信ユニット６に送られる。
【００１２】
表示制御装置２には、モニタ２ａが接続されている。表示制御装置２は、ナビゲーション装置１、ＡＶ機器４、車載カメラ５および外部通信ユニット６から車内ＬＡＮ７を介して送られてくる映像信号に基づき描画信号を生成し、モニタ２ａに送る。モニタ２ａは、この発明における「ナビゲーション装置のモニタ」に対応し、表示制御装置２から送られてくる描画信号に基づき映像を表示する。
【００１３】
アンプ３にはスピーカ３ａが接続されている。アンプ３は、ナビゲーション装置１、ＡＶ機器４または外部通信ユニット６から車内ＬＡＮ７を介して送られてくる音声信号を増幅し、スピーカ３ａに送る。スピーカ３ａは、アンプ３から送られてくる増幅された音声信号に応じて音を発生する。
【００１４】
ＡＶ機器４は、例えばＤＶＤ（Digital Versatile Disk）プレーヤー、ＤＴＶ（Digital Television）またはゲーム機などから構成されている。ＤＶＤプレーヤーは、装着されたＤＶＤに記録されているデータを再生して映像信号および音声信号を生成し、表示制御装置２、アンプ３および外部通信ユニット６に送る。ＤＴＶは、受信した電波に基づき映像信号および音声信号を生成し、表示制御装置２、アンプ３および外部通信ユニット６に送る。ゲーム機は、記録媒体に記録されたデータを再生して映像信号および音声信号を生成し、表示制御装置２、アンプ３および外部通信ユニット６に送る。
【００１５】
車載カメラ５は、自車の周囲を撮影する。この撮影により得られた画像は、映像信号として表示制御装置２に送られる。
【００１６】
外部通信ユニット６には、複数のモバイル機器８がケーブル、赤外線、または、例えばBluetoothといった微弱電波などを用いた通信方式によって接続される。外部通信ユニット６は、外部のモバイル機器８との間で行われる有線通信、赤外線通信または微弱電波による通信を制御する。モバイル機器８としては、パーソナルコンピュータ、携帯電話またはＰＤＡ（Personal Digital Assistant）などを用いることができる。
【００１７】
現在、広く使用されているBluetoothの通信速度は、およそ１〜３Ｍｂｐｓである。これに対し、ＡＶ機器４として使用されるワンセグ（ＤＴＶ）は１２８〜１９２ｋｂｐｓ、ビデオＣＤは１１５０〜１３７４ｋｂｐｓ、ＤＶＤ−Ｖｉｄｅｏは９．８Ｍｂｐｓ、フルセグ（ＤＴＶ）は１５Ｍｂｐｓである。したがって、外部通信ユニット６と複数のモバイル機器８とをBluetoothで接続する場合は、ワンセグ（ＤＴＶ）およびビデオＣＤのデータはそのまま送信可能であるが、ＤＶＤ−Ｖｉｄｅｏおよびフルセグ（ＤＴＶ）のデータは、圧縮処理または間引き処理が行われる。
【００１８】
この場合、Bluetoothの代わりに、外部通信ユニット６と複数のモバイル機器８とを、現在普及しつつあるＵＷＢ（Ultra Wide Band）と呼ばれる無線通信方式を用いて接続すれば、ＤＶＤ−Ｖｉｄｅｏおよびフルセグ（ＤＴＶ）のデータもそのまま送信可能である。
【００１９】
なお、モバイル機器８は、カードスロットなどを利用して外部通信ユニット６に接続するように構成することもできる。また、外部通信ユニット６は、いずれかの車載機器に内蔵するように構成することもできるし、いずれかの車載機器にコネクタなどを用いて取り付けるように構成することもできる。
【００２０】
次に、外部通信ユニット６の詳細を説明する。図３は、外部通信ユニット６の構成を示すブロック図である。この外部通信ユニット６は、ＬＡＮ通信制御部１１、モバイル通信制御部１２、一時記憶部１３、ＩＤ管理部１４、表示データ生成部１５および状態管理部１６から構成されている。
【００２１】
ＬＡＮ通信制御部１１は、車内ＬＡＮ７に接続されている車載機器との間の通信を制御する。具体的には、ＬＡＮ通信制御部１１は、車載機器から車内ＬＡＮ７を介して送られてくるデータを受信して状態管理部１６に送るとともに、状態管理部１６から送られてくるデータを、車内ＬＡＮ７を介して車載機器に送信する。
【００２２】
モバイル通信制御部１２は、複数のモバイル機器８との間の通信を制御する。具体的には、モバイル通信制御部１２は、複数のモバイル機器８からのデータを受信して状態管理部１６に送るとともに、状態管理部１６から送られてくるデータを複数のモバイル機器８に送信する。
【００２３】
一時記憶部１３は、状態管理部１６から送られてくるデータを一時的に記憶する。この一時記憶部１３に記憶されているデータは、状態管理部１６によって読み出される。ＩＤ管理部１４は、複数のモバイル機器８の各々に付与された固有番号（ＩＤ）を管理する。このＩＤ管理部１４に記憶されているＩＤは、状態管理部１６によって読み出される。
【００２４】
表示データ生成部１５は、状態管理部１６から送られてくるデータに基づき表示データを生成する。この表示データ生成部１５で生成された表示データは、状態管理部１６に送られる。状態管理部１６は、ＬＡＮ通信制御部１１、モバイル通信制御部１２、一時記憶部１３、ＩＤ管理部１４および表示データ生成部１５を制御する。この状態管理部１６で行われる処理の詳細は後述する。
【００２５】
上記のように構成される外部通信ユニット６の動作を、「車載機器からモバイル機器へのデータ送信手順」と「モバイル機器から車載機器へのコマンド送信手順」とに分けて説明する。
【００２６】
（１）車載機器からモバイル機器へのデータ送信手順
（１−１）ＬＡＮ通信制御部１１は、車内ＬＡＮ７に接続されている車載機器からのデータを受信する。
（１−２）ＬＡＮ通信制御部１１は、受信したデータを状態管理部１６へ送る。
（１−３）状態管理部１６は、車内ＬＡＮ７に接続されている車載機器のいずれから送られてきたデータであるかを判別し、そのデータを一時記憶部１３に送って車載機器毎に記憶する。
（１−４）状態管理部１６は、モバイル機器８から受信要求があった場合に、該当するデータを一時記憶部１３から読み出し、モバイル通信制御部１２を経由して、受信要求を行ったモバイル機器８に送信する。なお、受信要求を行ったモバイル機器８が複数存在する場合、受信要求の数だけ上述した処理が繰り返される。また、受信要求を行ったモバイル機器８が１つだけしか存在しない場合、車載機器から受け取ったデータを一時記憶部１３に記憶することなく、そのまま受信要求を行ったモバイル機器８に送るように構成できる。また、受信要求を行ったモバイル機器８が存在しない場合、受信したデータを一時記憶部１３に格納せずに終了し、次のデータの受信待ちに戻るように構成できる。
（１−５）受信要求を行ったモバイル機器にデータを送信した後、一時記憶部１３に記憶されている送信済みのデータを消去する。この際、実際の動作としては、次のデータを受信した時に送信済みのデータに上書きし、データの消去動作を省略することもできる。
【００２７】
（２）モバイル機器から車載機器へのコマンド送信手順
（２−１）モバイル通信制御部１２は、モバイル機器８からのデータを受信する。
（２−２）モバイル通信制御部１２は、受信したモバイル機器８からのデータを状態管理部１６に送る。
（２−３）状態管理部１６は、ＩＤ管理部１４を参照してモバイル機器８のＩＤを確認し、受信したデータの内容およびモバイル機器８毎に管理している状態（モード）に応じて、表示データ生成部１５で作成した画面データをモバイル機器８に送信し、または、一時記憶部１３に記憶されている該当する車載機器のデータをモバイル機器８に送信し、または、該当する車載機器に対して操作要求を送信する。
（２−４）状態管理部１６は、モバイル機器８から送信されてくるコマンドなどに応じて、モバイル機器８毎に管理している状態（モード）を更新する。
【００２８】
ところで、モバイル機器８として携帯電話が用いられる場合は、携帯電話の表示部の表示領域が小さいので、例えばナビゲーション装置１で表示する地図をそのまま表示することは困難である。そこで、モバイル機器８として携帯電話が用いられる場合は、簡易画像を表示するように構成できる。
【００２９】
図４は、簡易画像を表示するための外部通信ユニット６ａの構成を示すブロック図である。この外部通信ユニット６ａは、上述した外部通信ユニット６にデータ蓄積部１７が追加されて構成されている。データ蓄積部１７は、モバイル機器８用の簡易地図データを記憶している。
【００３０】
状態管理部１６は、ナビゲーション装置１からＬＡＮ通信制御部１１を介して現在位置データを受信すると、この現在位置データによって示される位置の周辺の簡易地図データをデータ蓄積部１７から表示データ生成部１５を介して読み出し、モバイル通信制御部１２を介してモバイル機器８に送信する。これにより、モバイル機器８（携帯電話）の表示部に簡易地図が表示される。なお、モバイル機器８から現在位置データが得られる場合は、その現在位置データによって示される位置の周辺の簡易地図データをデータ蓄積部１７から表示データ生成部１５を介して読み出し、モバイル通信制御部１２を介してモバイル機器８に送信するように構成できる。
【００３１】
なお、簡易地図データは、ナビゲーション装置１の内部に保持するように構成することもできる。この構成の場合、外部通信ユニット６は、モバイル機器８から地図データ表示の要求があると、その要求をナビゲーション装置１に送信する。地図データ表示の要求を受信したナビゲーション装置１は、自己が検出した現在位置の周辺の簡易地図データをモバイル用データ蓄積部（図示は省略する）から抽出し、外部通信ユニット６を介してモバイル機器８に送信する。
【００３２】
次に、上記のように構成される、この発明の実施の形態１に係る車載情報システムの動作を説明する。
【００３３】
図５は、この車載情報システムが適用された車室内のイメージを示す。複数のモバイル機器８と通信するための外部通信ユニット６は、車内ＬＡＮ７に接続されており、車内ＬＡＮ７を経由して、ナビゲーション装置（ナビ）１、モニタ２ａ、アンプ３、ＡＶ機器（ＤＶＤ、ＤＴＶ）４および車載カメラ５といった車載機器との間でデータの送受信を行うことができる。
【００３４】
例えば、ＡＶ機器４としてのＤＶＤプレーヤーでＤＶＤを再生してモニタ２ａで視聴している場合に、ＤＶＤプレーヤーからモニタ２ａに送信されているデータを外部通信ユニット６で取得してモバイル機器８に送信することにより、車載のモニタ２ａに表示される映像と同じ映像をモバイル機器８の表示部に表示させることができる。また、車載のモニタ２ａでＤＶＤ以外の映像、例えば、ナビゲーション装置１、ＡＶ機器４としてのＤＴＶ、車載カメラ５などの映像が表示されている場合には、モバイル機器８から外部通信ユニット６および車内ＬＡＮ７を経由して、ＤＶＤプレーヤーを操作し、ＤＶＤプレーヤーから外部通信ユニット６のみにＤＶＤのデータを送信し、外部通信ユニット６は、ＤＶＤのデータをモバイル機器８に送信することにより、車載のモニタ２ａに表示されている映像に影響を与えずに、モバイル機器８の表示部にＤＶＤの映像を表示させることができる。
【００３５】
次に、上述した車載情報システムの動作の概要を、シーケンス図を参照しながら説明する。図６は、ナビゲーション装置１で発生された情報をモバイル機器８に表示させる場合の通常時の動作を示すシーケンス図である。
【００３６】
まず、外部通信ユニット６とモバイル機器８の通信のためのＩＤを一致させる操作が行われる。これにより、モバイル機器８に付与されたＩＤが外部通信ユニット６のＩＤ管理部１４に格納される。モバイル機器８が携帯電話の場合は、ＩＤとして、例えば電話番号を用いることができる。以下、モバイル機器８と外部通信ユニット６の間の通信は、このＩＤが一致する場合にのみ許可される。
【００３７】
上記の操作が完了すると、モバイル機器８から外部通信ユニット６に対して操作画面要求が送信される。外部通信ユニット６は、操作画面要求に対する応答として、操作可能な車載機器を示す情報を含む初期操作画面の情報をモバイル機器８に送信する。これにより、モバイル機器８の表示部には、図７に示すような初期操作画面が表示される。この初期操作画面の例では、「Navigation」、「カメラ」、「ＤＶＤ」および「ＤＴＶ」が表示されており、それぞれナビゲーション装置１、車載カメラ５、ＡＶ機器４としてのＤＶＤプレーヤーおよびＡＶ機器４としてのＤＴＶが操作可能であることを示している。なお、図７中の「モバイル通信」は初期操作画面のタイトルであり、「終了」はモバイル機器８と外部通信ユニット６との間の通信を終了させるために使用される。この初期操作画面が表示されている状態で、利用者は機器選択を行う。
【００３８】
モバイル機器８は、初期操作画面の中の「Navigation」、「カメラ」、「ＤＶＤ」または「ＤＴＶ」のいずれかが選択されると、選択された車載機器を示す情報を、機器選択の情報として外部通信ユニット６に送信する。外部通信ユニット６は、機器選択の情報に対する応答として、この機器選択の情報によって選択された車載機器の操作画面の情報を、機器別操作画面の情報としてモバイル機器８に送信する。これにより、モバイル機器８の表示部には、図８に示すような操作画面が表示される。この操作画面は、図７に示す初期操作画面において「Navigation」が選択された場合の例を示しており、「現在地」、「目的地」、「経路」、「ＶＩＣＳ」および「周辺施設」が表示される。これらはナビゲーション装置１に実行させることができる機能を示している。なお、図７中の「Navigation」は操作画面のタイトルであり、「戻る」は前の画面（初期操作画面）に戻ることを指示するために使用される。この操作画面が表示されている状態で、利用者は機能選択を行う。
【００３９】
モバイル機器８は、「現在地」、「目的地」、「経路」、「ＶＩＣＳ」または「周辺施設」のいずれかが選択されると、選択された機能を示す情報を情報要求として外部通信ユニット６に送信する。外部通信ユニット６は、モバイル機器８から受け取った情報要求を選択された車載機器（この場合は、ナビゲーション装置１）に送る。車載機器は、情報要求に対する応答として、自己のステータスを外部通信ユニット６に送信し、その後、データを外部通信ユニット６に送信する。
【００４０】
外部通信ユニット６は、車載機器から順次に送信されてくるステータスおよびデータをモバイル機器８に送信する。これにより、モバイル機器８の表示部には、図９に示すような画面が表示される。この画面は、図８に示す操作画面において「現在地」が選択された場合の例を示しており、自車の現在位置を表す自車マークとともに現在位置の周辺の地図が表示される。
【００４１】
次に、ＡＶ機器４としてのＤＶＤプレーヤーで発生された情報をモバイル機器８に表示させる場合の通常時の動作を、図１０に示すシーケンス図を参照しながら説明する。
【００４２】
外部通信ユニット６とモバイル機器８の通信のためのＩＤを一致させる操作から初期操作画面が表示されるまでの動作は、上述したナビゲーション装置１の情報をモバイル機器８に表示させる場合の動作と同じである。
【００４３】
モバイル機器８は、初期操作画面の中の「ＤＶＤ」が選択されると、選択された車載機器、つまりＤＶＤプレーヤーを示す情報を機器選択の情報として外部通信ユニット６に送信する。外部通信ユニット６は、機器選択の情報に対する応答として、この機器選択の情報によって選択された車載機器、つまりＤＶＤプレーヤーが動作可能状態にあれば、その旨を表す操作画面の情報を、機器別操作画面の情報としてモバイル機器８に送信する。これにより、モバイル機器８の表示部には、図１１の下部に示すような操作ボタンを有する画面が表示される。操作ボタンは、ＤＶＤプレーヤーの動作を指示するために使用される。なお、図１１中の「ＤＶＤ」は操作画面のタイトルである。この画面が表示されている状態で、利用者はＤＶＤプレーヤーを操作する。
【００４４】
モバイル機器８は、操作画面の中の操作ボタンのいずれかが操作されると、操作された機能を表す情報を情報要求として外部通信ユニット６に送信する。外部通信ユニット６は、モバイル機器８から受け取った情報要求を、選択された車載機器（この場合はＡＶ機器４としてのＤＶＤプレーヤー）に送る。車載機器は、情報要求に対する応答として、ステータスを外部通信ユニット６に送信し、その後、操作ボタンに応じたデータ、例えばＤＶＤを再生することにより得られたデータを外部通信ユニット６に送信する。
【００４５】
外部通信ユニット６は、車載機器から送信されてくるステータスおよびデータを順次にモバイル機器８に送信する。これにより、モバイル機器８の表示部には、操作された操作ボタンに対応する画面が表示される。例えば、操作ボタンの中のプレイボタン（＞）が操作された場合は、ＤＶＤプレーヤーに装着されているＤＶＤを再生した画面が表示部に表示される。この際、図１１に示すように、当該モバイル機器８が「優先」であることを表すために、操作ボタンが表示されるとともに優先ボタンが非表示にされる。この状態で、利用者はＤＶＤプレーヤーを操作することができる。その後、モバイル機器８は、応答として、表示を完了した旨を外部通信ユニット６に送信する。以下、データの受信、表示および応答が繰り返し実行され、モバイル機器８の表示部に映像が表示される。
【００４６】
なお、モバイル機器８から情報要求が外部通信ユニット６を介して車載機器（ＡＶ機器４としてのＤＶＤプレーヤー）に送られた場合に、車載機器が既に他のモバイル機器８によって使用されている状態であれば、車載機器は、情報要求に対する応答として、既に使用中である旨のステータスを外部通信ユニット６に送信し、その後、既に使用中であるモバイル機器８に送信しているデータと同じデータを外部通信ユニット６に送信する。
【００４７】
外部通信ユニット６は、車載機器から送信されてくるステータスおよびデータを順次にモバイル機器８に送信する。これにより、モバイル機器８の表示部には、他のモバイル機器８の表示部に表示されている映像と同じ映像が表示される。この際、図１２に示すように、当該モバイル機器８が「非優先」であることを表すために、操作ボタンが非表示にされるとともに優先ボタンが表示にされる。この状態では、利用者はＤＶＤプレーヤーを操作することができない。その後、モバイル機器８は、応答として、表示を完了した旨を外部通信ユニット６に送信する。以下、データの受信、表示および応答が繰り返し実行され、モバイル機器８の表示部には、他のモバイル機器８の表示部に表示される映像と同じ映像が表示される。
【００４８】
なお、車載機器を「優先」として使用しているモバイル機器８の接続が解除された場合、または、他の車載機器を使用するように変更された場合、「非優先」のモバイル機器８が順次に繰り上げられて「非優先」のモバイル機器８の中の最上位のものが「優先」となる。また、「非優先」のモバイル機器８が優先ボタンを操作して「優先」を要求することにより、「優先」を入れ替えることもできる。
【００４９】
また、上記では、モバイル機器８から、ナビゲーション装置１およびＡＶ機器４としてのＤＶＤプレーヤーにアクセスする場合について説明したが、他の車載機器についてもほぼ同様の制御を行うことができる。また、車載機器から得られたデータに基づきモバイル機器８の画面に映像を表示する場合について説明したが、車載機器から得られるデータには、音声データまたは文字データなども含めることができる。また、モバイル機器８内に保存されているデータを車載機器に送信し、出力するように構成することも可能である。
【００５０】
次に、上述した機能を実現するための外部通信ユニット６の詳細な動作を説明する。図１３は、外部通信ユニット６の状態管理部１６で実行されるメイン処理を示すフローチャートである。
【００５１】
このメイン処理では、まず、初期設定が行われる（ステップＳＴ１１）。この初期設定では、外部通信ユニット６の内部が初期化されるとともに、外部通信ユニット６とモバイル機器８の通信のためのＩＤを一致させる操作に対応した処理、つまり、モバイル機器８に付与されたＩＤを外部通信ユニット６のＩＤ管理部１４に格納する処理が行われる。
【００５２】
次いで、電源制御が行われる（ステップＳＴ１２）。次いで、モバイル通信処理が行われる（ステップＳＴ１３）。すなわち、外部通信ユニット６は、モバイル機器８との間の通信を行うための処理を実行する。このモバイル通信の詳細は後述する。次いで、車載機器通信処理が行われる（ステップＳＴ１４）。すなわち、外部通信ユニット６は、車載機器との間の通信を行うための処理を実行する。この車載機器通信の詳細は後述する。その後、シーケンスはステップＳＴ１２に戻り、上述した処理が繰り返される。
【００５３】
次に、メイン処理のステップＳＴ１３で行われるモバイル通信処理の詳細を、図１４に示すフローチャートを参照しながら説明する。
【００５４】
モバイル通信処理では、まず、モバイル通信受信が行われる（ステップＳＴ２１）。すなわち、外部通信ユニット６のモバイル通信制御部１２は、モバイル機器８から送られてくるデータを受信して状態管理部１６に送る。
【００５５】
次いで、ＩＤ確認が行われる（ステップＳＴ２２）。すなわち、状態管理部１６は、ステップＳＴ２１で受信したデータの送信元のモバイル機器８のＩＤがＩＤ管理部１４に格納されているＩＤに一致するかを調べる。このステップＳＴ２２において、ＩＤが確認できない、つまり不一致の場合は、シーケンスはメイン処理にリターンする。
【００５６】
一方、ステップＳＴ２２において、ＩＤが確認できると、次いで、操作画面要求であるかどうかが調べられる（ステップＳＴ２３）。すなわち、状態管理部１６は、モバイル通信制御部１２から送られてくるデータが操作画面要求であるかどうかを調べる。このステップＳＴ２３において、操作画面要求であることが判断されると、初期操作画面送信が行われる（ステップＳＴ２４）。すなわち、状態管理部１６は、操作画面要求に対する応答として、操作可能な車載機器を示す情報を含む初期操作画面の情報を、モバイル通信制御部１２を介してモバイル機器８に送信する。その後、シーケンスはメイン処理にリターンする。
【００５７】
上記ステップＳＴ２３において、操作画面要求でないことが判断されると、次いで、機器選択情報であるかどうかが調べられる（ステップＳＴ２５）。すなわち、状態管理部１６は、モバイル通信制御部１２から送られてくるデータが機器選択情報であるかどうかを調べる。このステップＳＴ２５において、機器選択情報であることが判断されると、機器別操作画面送信が行われる（ステップＳＴ２６）。すなわち、状態管理部１６は、機器選択情報に対する応答として、この機器選択情報によって選択された車載機器の操作画面の情報を、機器別操作画面の情報としてモバイル通信制御部１２を介してモバイル機器８に送信する。その後、シーケンスはメイン処理にリターンする。
【００５８】
上記ステップＳＴ２５において、機器選択情報でないことが判断されると、次いで、ナビコマンドであるかどうかが調べられる（ステップＳＴ２７）。すなわち、状態管理部１６は、モバイル通信制御部１２から送られてくるデータが、ナビゲーション装置１に対するコマンドであるかどうかを調べる。このステップＳＴ２７において、ナビコマンドであることが判断されると、ナビコマンド送信が行われる（ステップＳＴ２８）。すなわち、状態管理部１６は、ステップＳＴ２１で受信したデータ、つまりナビコマンドを、ＬＡＮ通信制御部１１を介してナビゲーション装置１に送信する。その後、シーケンスはメイン処理にリターンする。
【００５９】
上記ステップＳＴ２７において、ナビコマンドでないことが判断されると、次いで、優先状態であるかどうかが調べられる（ステップＳＴ２９）。すなわち、状態管理部１６は、該当のモバイル機器に優先権があるか確認する。このステップＳＴ２９において、優先状態でないことが判断されると、次いで、優先切替要求であるかどうかが調べられる（ステップＳＴ３０）。すなわち、状態管理部１６は、モバイル通信制御部１２から送られてくるデータが、車載機器の優先状態の切り替えを要求するデータであるかどうかを調べる。
【００６０】
このステップＳＴ３０において、優先切替要求でないことが判断されると、シーケンスはメイン処理にリターンする。一方、ステップＳＴ３０において、優先切替要求であることが判断されると、優先切替処理が行われる（ステップＳＴ３１）。すなわち、状態管理部１６は、自己の内部に記憶しているモバイル機器８の優先順位を切り替える。その後、シーケンスはメイン処理にリターンする。
【００６１】
上記ステップＳＴ２９において、優先状態であることが判断されると、次いで、ＤＶＤコマンドであるかどうかが調べられる（ステップＳＴ３２）。すなわち、状態管理部１６は、モバイル通信制御部１２から送られてくるデータが、ＡＶ機器４としてのＤＶＤプレーヤーに対するコマンドであるかどうかを調べる。このステップＳＴ３２において、ＤＶＤコマンドであることが判断されると、ＤＶＤコマンド送信が行われる（ステップＳＴ３３）。すなわち、状態管理部１６は、ステップＳＴ２１で受信したデータ、つまりＤＶＤコマンドを、ＬＡＮ通信制御部１１を介してＡＶ機器４としてのＤＶＤプレーヤーに送信する。その後、シーケンスはメイン処理にリターンする。
【００６２】
上記ステップＳＴ３２において、ＤＶＤコマンドでないことが判断されると、他の処理が行われる（ステップＳＴ３４）。すなわち、上述した車載機器以外の車載機器、つまりＡＶ機器４としてのＤＴＶ、車載カメラ５に対する処理が、上記と同様の手順で行われる。その後、シーケンスはメイン処理にリターンする。なお、図１４において、点線で囲んだ部分は、ＤＶＤの例でＤＴＶ等、他の機器の場合、「ＤＶＤ」がそのまま置き替わり、「他の処理」の枠に入る。
【００６３】
次に、メイン処理のステップＳＴ１４で行われる車載機器通信処理の詳細を、図１５に示すフローチャートを参照しながら説明する。
【００６４】
車載機器通信処理では、まず、車載機器通信受信が行われる（ステップＳＴ４１）。すなわち、外部通信ユニット６のＬＡＮ通信制御部１１は、車載機器から送られてくるデータを受信して状態管理部１６に送る。
【００６５】
次いで、ナビ（ナビゲーション装置１）からのデータであるかどうかが調べられる（ステップＳＴ４２）。すなわち、状態管理部１６は、ＬＡＮ通信制御部１１から送られてくるデータが、ナビゲーション装置１から送られてきたデータであるかどうかを調べる。このステップＳＴ４２において、ナビからのデータでないことが判断されると、シーケンスはステップＳＴ４５に進む。
【００６６】
一方、ステップＳＴ４２において、ナビからのデータであることが判断されると、次いで、ＩＤ確認が行われる（ステップＳＴ４３）。すなわち、状態管理部１６は、データの要求元のモバイル機器８のＩＤがＩＤ管理部１４に格納されているＩＤに一致するかを調べる。このステップＳＴ４３において、ＩＤが確認できない、つまり不一致の場合は、シーケンスはステップＳＴ４５に進む。
【００６７】
一方、ステップＳＴ４３において、ＩＤが確認できた、つまり一致した場合は、ナビデータ送信が行われる（ステップＳＴ４４）。すなわち、状態管理部１６は、ステップＳＴ４１で受信したデータを、モバイル通信制御部１２を介してモバイル機器８に送信する。その後、シーケンスは、メイン処理にリターンする。
【００６８】
ステップＳＴ４５においては、ＤＶＤ（ＡＶ機器４としてのＤＶＤプレーヤー）からのデータであるかどうかが調べられる。すなわち、状態管理部１６は、ＬＡＮ通信制御部１１から送られてくるデータが、ＡＶ機器４としてのＤＶＤプレーヤーから送られてきたデータであるかどうかを調べる。このステップＳＴ４５において、ＤＶＤからのデータであることが判断されると、次いで、ＩＤ確認が行われる（ステップＳＴ４６）。すなわち、状態管理部１６は、ＩＤ管理部１４から１つのＩＤを抽出し、データの要求元のモバイル機器８のＩＤに一致するかを調べる。このステップＳＴ４６において、ＩＤが確認できた、つまり一致した場合は、ＤＶＤデータ送信が行われる（ステップＳＴ４７）。すなわち、状態管理部１６は、ステップＳＴ４１で受信したデータを、モバイル通信制御部１２を介して、ＩＤの一致が確認できたモバイル機器８に送信する。一方、ステップＳＴ４６において、ＩＤが確認できない、つまり不一致の場合は、ステップＳＴ４７の処理はスキップされる。
【００６９】
次いで、全ＩＤの確認が完了したかどうかが調べられる（ステップＳＴ４８）。すなわち、状態管理部１６は、ＩＤ管理部１４に格納されているすべてのＩＤに対する処理が完了したかどうかを調べる。このステップＳＴ４８において、全ＩＤの確認を完了していないことが判断されると、次いで、次のＩＤが抽出される（ステップＳＴ４９）。すなわち、状態管理部１６は、ＩＤ管理部１４から次のＩＤを抽出する。その後、シーケンスはステップＳＴ４６に戻り、上述した処理が繰り返される。
【００７０】
一方、ステップＳＴ４８において、全ＩＤの確認を完了したことが判断されると、シーケンスは、メイン処理にリターンする。以上のステップＳＴ４６〜ＳＴ４９の処理により、複数のモバイル機器８に対し、１つのＤＶＤプレーヤーで再生した映像を送信することができる。
【００７１】
上記ステップＳＴ４５において、ＤＶＤからのデータでないことが判断されると、他の処理が行われる（ステップＳＴ５０）。すなわち、上述した車載機器以外の車載機器、つまりＡＶ機器４としてのＤＴＶ、車載カメラ５に対する処理が、上記と同様の手順で行われる。その後、シーケンスはメイン処理にリターンする。なお、図１５において、点線で囲んだ部分は、ＤＶＤの例でＤＴＶ等、他の機器の場合、「ＤＶＤ」がそのまま置き替わり、「他の処理」の枠に入る。
【００７２】
以上説明したように、この発明の実施の形態１に係る車載情報システムによれば、外部から持ち込んだモバイル機器８を外部通信ユニット６に通信で接続することにより、車内ＬＡＮ７に接続されている複数の車載機器にアクセスし、これらの車載機器に表示される情報を入手したり、また、これらの車載機器を操作することができる。したがって、車両の所有者は該車両の全座席にモニタなどを取り付けることなく、乗車者が所有するモバイル機器８を車内に持ち込むことにより、車載機器に表示される情報を簡易に入手できるようになる。
【図面の簡単な説明】
【００７３】
【図１】この発明の実施の形態１に係る車載情報システムの構成を示すブロック図である。
【図２】この発明の実施の形態１に係る車載情報システムの他の構成を示すブロック図である。
【図３】この発明の実施の形態１に係る車載情報システムで使用される外部通信ユニットの構成を示すブロック図である。
【図４】この発明の実施の形態１に係る車載情報システムで使用される外部通信ユニットの簡易画面を表示するための構成を示すブロック図である。
【図５】この発明の実施の形態１に係る車載情報システムが適用された車室内のイメージを示す図である。
【図６】この発明の実施の形態１に係る車載情報システムにおいて、ナビゲーション装置で発生された情報をモバイル機器に表示させる動作を示すシーケンス図である。
【図７】この発明の実施の形態１に係る車載情報システムにおいて表示される初期操作画面の例を示す図である。
【図８】この発明の実施の形態１に係る車載情報システムにおいて表示されるナビゲーション装置の操作画面の例を示す図である。
【図９】この発明の実施の形態１に係る車載情報システムにおいて表示されるナビゲーション装置の現在地表示画面の例を示す図である。
【図１０】この発明の実施の形態１に係る車載情報システムにおいて、ＤＶＤプレーヤーで発生された情報をモバイル機器に表示させる動作を示すシーケンス図である。
【図１１】この発明の実施の形態１に係る車載情報システムにおいて表示されるＤＶＤプレーヤーの優先時の画面の例を示す図である。
【図１２】この発明の実施の形態１に係る車載情報システムにおいて表示されるＤＶＤプレーヤーの非優先時の画面の例を示す図である。
【図１３】この発明の実施の形態１に係る車載情報システムにおけるメイン処理を示すフローチャートである。
【図１４】この発明の実施の形態１に係る車載情報システムにおけるメイン処理で実行されるモバイル通信処理を示すフローチャートである。
【図１５】この発明の実施の形態１に係る車載情報システムにおけるメイン処理で実行される車載機器通信処理を示すフローチャートである。
【符号の説明】
【００７４】
１  ナビゲーション装置、２  表示制御装置、２ａ  モニタ、３  アンプ、３ａ  スピーカ、４  ＡＶ機器、５  車載カメラ、６  外部通信ユニット、７  車内ＬＡＮ、８  モバイル機器、１１  ＬＡＮ通信制御部、１２  モバイル通信制御部、１３  一時記憶部、１４  ＩＤ管理部、１５  表示データ生成部、１６  状態管理部、１７  データ蓄積部。
【図１】
2011143732.tif 000003
【図２】
2011143732.tif 000004
【図３】
2011143732.tif 000005
【図４】
2011143732.tif 000006
【図５】
2011143732.tif 000007
【図６】
2011143732.tif 000008
【図７】
2011143732.tif 000009
【図８】
2011143732.tif 000010
【図９】
2011143732.tif 000011
【図１０】
2011143732.tif 000012
【図１１】
2011143732.tif 000013
【図１２】
2011143732.tif 000014
【図１３】
2011143732.tif 000015
【図１４】
2011143732.tif 000016
【図１５】
2011143732.tif 000017